(57)【要約】【課題】運搬中に傷がつきにくい梱包物及び被運搬物を提供すること【解決手段】第１主面と、第２主面を有し、第１主面が内側となり、第２主面が外側となるように丸みをもたせて捲回されている保持パッド１２と、保持パッド１２を収容する容器１４と、保持パッド１２の内周側端部１２Ａと、その外周側の保持パッド１２との間に、アルミバルーン１６が挿入された梱包物１０【選択図】図１
2019172295.tif 000002
【特許請求の範囲】
【請求項１】
第１主面と、第２主面を有し、前記第１主面が内側となり、前記第２主面が外側となるように丸みをもたせて捲回されている被運搬物と、
前記被運搬物を収容する容器と、
前記被運搬物の捲回方向における内周側の端部を、この内周側の端部における前記第２主面と向かい合う前記第１主面から離間させるための離間部材と、
を備える梱包物。
【請求項２】
前記離間部材は、前記内周側の端部における前記第２主面と、これに対向する前記第１主面との間に挿入されていることを特徴とする請求項１に記載の梱包物。
【請求項３】
前記離間部材は、気体が封入された緩衝部材であることを特徴とする請求項１又は２に記載の梱包物。
【請求項４】
前記離間部材は、
前記内周側の端部における前記第１主面に対向する第１端部と、
前記内周側の端部における前記第２主面に対向する第２端部と、
前記第１端部と前記第２端部を接続する湾曲した接続部と、
を備える緩衝部材であることを特徴とする請求項１又は２に記載の梱包物。
【請求項５】
前記被運搬物は、前記第１主面と前記第２主面を接続する側面を有し、
前記離間部材は、前記内周側の端部と、捲回の回転軸の方向を向いた前記側面と向かい合う前記容器の壁面と、を接続することによって、前記被運搬物の捲回方向における内周側の端部を、この内周側の端部における前記第２主面と向かい合う前記第１主面から離間させる接続部材であることを特徴とする請求項１に記載の梱包物。
【請求項６】
前記被運搬物は、前記第１主面により被加工物を保持するための保持パッドであることを特徴とする請求項１から５の何れか一項に記載の梱包物。
【請求項７】
前記被運搬物は、前記第１主面により被加工物を研磨するための研磨パッドであることを特徴とする請求項１から５の何れか一項に記載の梱包物。
【請求項８】
第１主面と、第２主面を有し、前記第１主面が内側となり、前記第２主面が外側となるように丸みをもたせて捲回されている被運搬物であって、
前記被運搬物の捲回方向における内周側の端部を、この内周側の端部の前記第２主面と向かい合う前記第１主面から離間させるための離間部材が設けられている、
被運搬物。
【発明の詳細な説明】
【技術分野】
【０００１】
本発明は、梱包物及び被運搬物に関する。
【背景技術】
【０００２】
従来から荷物（「被運搬物」の一例）の運搬に際しては、荷物が損傷しないように、種々の容器に梱包された状態で運搬することが行われている。梱包時には、運搬中の揺れや振動による荷物の損傷等を回避するため、発泡性プラスチック、スポンジ等の緩衝材、ハニカム構造等を有する衝撃吸収材等が使用されている。
【０００３】
ここで、荷物がシート状のパッド、フィルムや紙等の場合、積層状態で梱包することが考えられる。しかしながら、柔軟性の高いパッド、シートの場合に積層状態で運搬すると、枚数が増えるにつれて、積み重ねられた被運搬物の重みが、下方にある被運搬物にかかってしまう。下方に位置するシートが圧縮されて変形を起こしてしまう。また、この際、積み重ねられた一部の被運搬物の位置がずれていると、下方にある被運搬物のエッジ付近に荷重がかかるため、エッジ付近が変形してしまうおそれがあった。特に厚み精度を要求される用途のものに対しては問題になる。
【０００４】
このような問題を回避するためには、被運搬物同士を正確に位置決めして、被運搬物の表面全体に、平均的に重みがかかるようにすることが考えられる。しかしながら、（例えば２.０ｍ以上の幅を有する）大判のシートを平板で運ぶ場合に運送に大きな制限を受けることになる。製造歩留りを維持しながら精度の良い被運搬物を製造するコストや、位置決めの手間を考慮すると、正確に位置決めして積層することは、現実的でない。
【０００５】
積層することなく、かつ、荷物を損傷させることなく、被運搬物を運搬するための方法として、特許文献１には、被運搬物を捲回されている被運搬物を、凹陥を生じさせることなく運搬するために、柔軟性を有する保持シート３を容器の外フラップ２と外フラップ２の間に弛み部分４を持つように架け渡し、この保持シート３上に被運搬物を乗せる技術が記載されている。
【先行技術文献】
【特許文献】
【０００６】
【特許文献１】実用新案登録第３１７９６３１号公報
【発明の概要】
【発明が解決しようとする課題】
【０００７】
しかしながら、本出願の発明者らは、被運搬物を捲回させて容器に収容する際、運搬中の揺れや、外圧等を受けて被運搬物の内側の端部が、対向する内側を向いた面と接触し、端部の形に従った筋のような傷ができる場合があることに気が付いた。傷は、端部が接触する部分のみならず、端部から押し付けられる部分について、端部からほぼ一周分の長さごとに、ほぼ一定周期で複数個形成される場合があった。特に、シートの圧縮率(ＪＩＳ  Ｌ  １０２１）が２０％以上、樹脂の１００％モジュラス(ＪＩＳ  Ｋ  ６２５１)が２０ＭＰａ以下、厚み(ＪＩＳ  Ｋ  ６５５０)が０．５ｍｍ以上の柔軟なシートを有する場合において、厚みがあり剛性が高いＰＥＴ基材を含む場合に、その傾向が強く、顕著な傷が形成される場合があった。
【０００８】
このような被運搬物の表面に傷（圧迫痕、凹み跡も含む）が形成されると、見た目が悪くなるだけでなく、被運搬物の性能の劣化を招く。例えば、被研磨物を保持するための保持パッドを捲回する場合に、保持面の平坦度が損なわれると、傷によって均一性が損なわれるため、被研磨物が平坦に研磨されないという、平坦化不良を引き起こす。
【０００９】
そこで本発明は、被運搬物を捲回して運搬しても、傷がつきにくい梱包物及び被運搬物を提供することを目的とする。
【課題を解決するための手段】
【００１０】
本発明の一態様に係る梱包物は、第１主面と、第２主面を有し、第１主面が内側となり、第２主面が外側となるように丸みをもたせて捲回されている被運搬物と、被運搬物を収容する容器と、被運搬物の捲回方向における内周側の端部を、この内周側の端部の第２主面と向かい合う第１主面から離間させるための離間部材と、を備える。
【００１１】
このような梱包物にあっては、被運搬物の捲回方向における内周側の端部を、この内周側の端部の第２主面と向かい合う第１主面から離間させるための離間部材を備えるから、内周側の端部が、第１主面に接触することを抑制することが可能になる。
【００１２】
また、他の態様に係る被運搬物は、第１主面と、第２主面を有し、第１主面が内側となり、第２主面が外側となるように丸みをもたせて捲回されている被運搬物であって、被運搬物の捲回方向における内周側の端部を、この内周側端部の第２主面と向かい合う第１主面から離間させるための離間部材が設けられている。
【００１３】
このような被運搬物にあっては、被運搬物の捲回方向における内周側の端部を、この内周側の端部の第２主面と向かい合う第１主面から離間させるための離間部材を備えるから、内周側の端部が、第１主面に接触することを抑制することが可能になる。
【発明の効果】
【００１４】
本発明によれば、運搬中に傷がつきにくい梱包物及び被運搬物を提供することができる。
【図面の簡単な説明】
【００１５】
【図１】第１実施形態に係る梱包物１０の断面図
【図２】アルミバルーン１６’を離間部材として備える被運搬物
【図３】緩衝部材３２’を離間部材として備える被運搬物
【発明を実施するための形態】
【００１６】
[第１実施形態]
以下、図面を参照して本発明の各実施形態について詳細に説明する。なお、同一の要素には同一の符号を付し、重複する説明を省略する。また、以下の実施の形態は、本発明を説明するための例示であり、本発明をその実施の形態のみに限定する趣旨ではない。さらに、本発明は、その要旨を逸脱しない限り、さまざまな変形が可能である。
【００１７】
図１（ａ）は、第１実施形態に係る梱包物１０を模式的に示す断面図である。被運搬物は、例えば、横２４００ｍｍ、縦２７５０ｍｍ、厚さ０．０５ｍｍ〜２．０ｍｍ、重さ数キログラムからなる薄い長方形状の保持パッド１２である。この保持パッド１２は、例えば、被研磨物を保持するためのポリウレタン樹脂からなる保持層と、粘着層と、ポリエチレンテレフタレート（ＰＥＴ）層と、粘着層と、離型紙とからなる積層構造を有している。離型紙を剥がして粘着層を露出させ、被研磨物を載置するための加工用のテーブルに貼りつけ、保持層の表面を水で湿らせ、大型の液晶ディスプレイ用のガラス基板や半導体デバイスを製造するためのシリコンウエハ等の被研磨物を吸着保持させることで、被研磨物を固定することができる。
【００１８】
このような保持パッド１２を運搬する際には、保護したい保持層の表面（「第１主面」の一例）が内側を向き、離型紙が設けられた裏面（「第２主面」の一例）が外側を向く様に、保持パッド１２は、長手方向に捲回される。ここで、捲回された保持パッド１２のうち、捲回方向端部の最内周に相当する部分を、内周側端部１２Ａと呼び、最外周に相当する部分を、外周側端部と呼ぶ。また、矩形の被運搬物の場合、表面と裏面を接続し、被運搬物の厚み相当の高さを有する小面積の側面は、内周側端部の先端に設けられ、捲回方向を向いた先端面と、外周側端部の後端に設けられ、捲回方向の反対方向を向いた後端面と、捲回の回転軸方向を向いた２つの側面を備える。
【００１９】
例えば、保持パッド１２を、半径が６０ｍｍ〜７０ｍｍ程度（一周約４００ｍｍ）となるように長手方向に捲回すると、保持パッド１２は、約７周捲回され、外径が１５０ｍｍ程度、高さが２４００ｍｍの筒状に形成される。
【００２０】
図１（ａ）に示されるように、捲回された保持パッド１２を運搬する際には、保持パッド１２の捲回方向における内周側端部１２Ａと、この内周側端部１２Ａにおける保持パッド１２の裏面が向かい合う、外周側にある保持パッド１２の表面との間に、アルミニウムが表面に塗布された袋に空気等の気体が封入されたアルミバルーン１６（「緩衝部材」の一例）が挿入される。
【００２１】
このため、内周側端部１２Ａを、外周側にある保持パッド１２から離間した状態で支持することが可能になる。
【００２２】
従って、本来であれば、保持パッド１２の内周側端部１２Ａに作用する、外周方向に向かうモーメントによって、内周側端部１２Ａの先端が、外周側にある保持パッド１２の表面に接触して傷つけることを抑制することができる。
【００２３】
また、このとき、内周側端部１２Ａの曲率は、捲回によって外周側の保持パッド１２が有する曲率（すなわち、半径の逆数）より、大きくなる。
【００２４】
なお、保持パッド１２の外周側端部は、図に示されるとおり自由端である。
【００２５】
アルミバルーン１６は、表面に極薄くアルミニウムが塗布されているビニル樹脂等の柔らかい材質からなる袋であり、内部に気体が封入されている。このため、被運搬物である保持パッド１２の材質によっては、擦れ等により発生する可能性がある静電気等を好適に抑制することができる。また、内部に気体を封入することにより、アルミバルーン１６は、変形することができる。このため、保持パッド１２の内周側端部１２Ａ及び対向する外周側の保持パッド１２の表面形状に従った大きな面積で、内周側端部１２Ａを支持することができる。このため、内周側端部１２Ａの変形や、保持パッド１２の表面が傷つくことを抑制することができる。
【００２６】
なお、捲回により円筒状になっている保持パッド１２の軸方向にわたり、複数個のアルミバルーン１６を挿入してもよい。
【００２７】
なお、アルミバルーン１６の大きさや、内部に封入する気体の気圧は、適宜変更可能である。ただし、気圧を高め過ぎると、保持パッド１２の表面を傷つけるおそれが高くなるため、大気圧程度にすることが好ましい。また、アルミバルーン１６を大きくしすぎると、内周側端部１２Ａの曲率が大きくなりすぎて変形してしまうため、内周側端部１２Ａが、保持パッド１２の表面から僅かに離間する程度の大きさでよい。
【００２８】
また、緩衝部材は、表面にアルミニウム等の金属が塗布されなくてもよい。被運搬物の材質にあわせて、緩衝部材の材質を適宜変更することが可能である。
【００２９】
図１（ａ）に示されるように、このような保持パッド１２は、容器１４に収納される。容器１４は、捲回された保持パッド１２を、隙間をもって収納可能な大きさで設けられた、断面が略正方形で、奥行方向に長い直方体の形状をした、段ボール等の紙材から設けられた容器である。
【００３０】
また、容器１４の壁面のうち、保持パッド１２の裏面に対向する向かい合った２つの壁面１４Ａ及び壁面１４Ｂには、容器１４の底面１４Ｃに接触しない程度に弛ませた柔らかいフィルム１４Ｅが架け渡されている。このように、弛ませたフィルム１４Ｅの上に保持パッド１２を乗せることによって、保持パッド１２が容器１４の壁面１４Ａ又は壁面１４Ｂや、底面１４Ｃと擦れて傷がつくことを抑制することができる。
【００３１】
保持パッド１２が収納された後に、容器１４には、上面を覆う蓋１４Ｄを設けてもよい。
【００３２】
このような容器１４の壁面１４Ａを、他の容器１４の壁面１４Ｂと接続することによって、複数の容器１４を連結してもよい。例えば、４つの容器１４を連結することにより、一度に運搬することができる保持パッド１２の数を増やすとともに、剛性が高まるため、容器１４が保持パッド１２の自重等により変形することを抑制することができる。
【００３３】
また、複数の容器１４を連結させた後に、一枚のフィルム１４Ｅを、一端にある容器１４の壁面１４Ａから、他端にある容器１４の壁面１４Ｂに至るまで、架け渡してもよい。このような構成とすることにより、容器１４ごとにフィルム１４Ｅを切り離して、壁面１４Ａと壁面１４Ｂの間に架け渡す手間を省くことができる。
【００３４】
さらに、このように複数の容器１４を連結させたものを、高さ方向に、多段に積層してもよい。このような構成とすることによって、多数の保持パッド１２を効率的に運搬することができる。
【００３５】
図２は、捲回された保持パッド１２の捲回方向における内周側端部１２Ａと、その内周側端部１２Ａが対向する外周側の保持パッド１２との間に、アルミバルーン１６’を挿入した様子を示している。このアルミバルーン１６’は、袋のような形状をしており、内部の空気が漏れにくいように端部が結ばれている。
【００３６】
以上述べたような形態によれば、保持パッド等の被運搬物を捲回しても、内周側端部が対向する表面に接触することを抑制することができるから、運搬時に傷がつきにくい梱包物並びに被運搬物を提供することができる。
【００３７】
なお、被運搬物は、ＰＥＴ基材を備える保持パッドに限られるものではなく、例えば、ナイロンやポリビニル化合物、不織布等を備えるものであってもよい。また、被研磨物を研磨するための研磨布が表面に設けられている研磨パッドを被運搬物としてもよい。
【００３８】
また、被運搬物の形状は、長方形に限られない。例えば、円形その他の形状であってもよい。ただし、剛性が高く重量が大きいために傷が発生しやすい被運搬物ならびにその梱包物に本発明を適用することにより、一層の効果が発揮される。
【００３９】
[第２実施形態]
図１（ｂ）は、第２実施形態に係る梱包物２０を模式的に示す断面図である。被運搬物である保持パッド１２及び容器１４は、第１実施形態と同様のものを用いることができるが、これに限られるものではない。
【００４０】
この図に示されるように、本実施形態における容器１４の壁面のうち、捲回された保持パッド１２の側面が対向する壁面１４Ｆには、クッションテープなどのテープ２２によって、紐２４（「接続部材」の一例）の一端が貼りつけられている。一方で、紐２４の他端は、保持パッド１２の内周側端部１２Ａに、テープ等の接着剤２６等によって接続されている。
【００４１】
紐２４の長さは、十分に短く、かつ、テープ２２によって、紐２４の一端は、壁面１４Ｆの中央付近に貼りつけられている。このため、引張力を作用させた状態で、内周側端部１２Ａを、外周側にある保持パッド１２の表面から離間保持することが可能になる。
【００４２】
同様に、図示しない紐によって、保持パッド１２の他方の側面が対向する容器１４の壁面と、保持パッド１２の内周側端部１２Ａは、接続されている。このため、保持パッド１２の内周側端部１２Ａの先端は、捲回により円筒状になっている保持パッド１２の軸方向にわたり、外周側の保持パッド１２から離間した状態で保持されている。
【００４３】
このような構成とすることによっても、保持パッド１２の内周側端部１２Ａが対向する表面に接触することを抑制することができる。
【００４４】
なお、紐２４は、内周側端部１２Ａを好適に拘束する程度に短いことが好ましく、例えば、捲回されている保持パッド１２の半径の半分以下の長さであることが好ましい。
【００４５】
また接続部材は、紐２４に限られるものではない。内周側端部１２Ａと、保持パッド１２の側面に対向する壁面１４Ｆを接続し、内周側端部１２Ａに引張力を加えることによって、外周側にある保持パッド１２の表面から離間させるものであれば、紐２４以外の部材を用いてもよい。
【００４６】
[第３実施形態]
図１（ｃ）は、第３実施形態に係る梱包物３０を模式的に示す断面図である。被運搬物である保持パッド１２及び容器１４は、第１実施形態及び第２実施形態と同様のものを用いることができるが、これに限られるものではない。
【００４７】
この図に示されるように、保持パッド１２の捲回方向における内周側端部１２Ａには、湾曲した緩衝部材として、断面がＣ字状の緩衝部材３２が挿入されている。緩衝部材３２の一端３２Ａは、内周側端部１２Ａの表面に対向し、他端３２Ｂは、内周側端部１２Ａの裏面に対向し、両端を滑らかに接続する接続部３２Ｃの内壁面は、内周側端部１２Ａの側面に対向している。
【００４８】
図３は、このような捲回された保持パッド１２の捲回方向における内周側端部１２Ａと、その内周側端部１２Ａが対向する外周側の保持パッド１２との間に、緩衝部材３２’を挿入した様子を示している。この図に示されるように、内周側端部１２Ａには、外側に向かうモーメントが作用するが、緩衝部材３２’の他端３２Ｂ’が内周側端部１２Ａの裏面と接触するので、内周側端部１２Ａが対向する保持パッド１２の表面に接触することが抑制される。また、緩衝部材３２’の一端３２Ａ’は、保持パッド１２の表面と離間しているから、保持パッド１２の表面に傷をつけることがない。
【００４９】
なお、緩衝部材３２は、捲回により円筒状になっている保持パッド１２の軸方向にわたって設けてもよいが、軸方向の中央部の一か所や、両端の２か所のみに設けてもよい。
【符号の説明】
【００５０】
１０…梱包物、１２…保持パッド、１２Ａ…内周側端部、１４…容器、１４Ａ…壁面、１４Ｂ…壁面、１４Ｃ…底面、１４Ｄ…蓋、１４Ｅ…フィルム、１４Ｆ…壁面、１６…アルミバルーン、２０…梱包物、２２…テープ、２４…紐、２６…接着剤、３０…梱包物、３２…緩衝部材、３２Ａ…一端、３２Ｂ…他端、３２Ｃ…接続部
【図１】
2019172295.tif 000003
【図２】
2019172295.tif 000004
【図３】
2019172295.tif 000005